(57)【要約】【課題】小学校低学年以下の児童であっても、簡易且つ迅速に着用することが可能な武道着を提供する。【解決手段】武道の稽古等において着用する武道着であって、着用時に胴体部前方で重なり合う、内側重ね合わせ部と外側重ね合わせ部を有すると共に、上記内側重ね合わせ部の外側面部と外側重ね合わせ部の内側面部には、上記内側重ね合わせ部と外側重ね合わせ部とを接着する面ファスナーが配設された構成とする。【選択図】  図１
0003146917.tif 000002
【実用新案登録請求の範囲】
【請求項１】
武道の稽古等において着用する武道着であって、
着用時に胴体部前方で重なり合う、内側重ね合わせ部と外側重ね合わせ部を有すると共に、上記内側重ね合わせ部の外側面部と外側重ね合わせ部の内側面部には、上記内側重ね合わせ部と外側重ね合わせ部とを接着する面ファスナーが配設されていることを特徴とする武道着。
【請求項２】
上記面ファスナーは、所定長を有する横長長方形状に形成され、上記武道着を着用した場合に、腹部の前方部において、腹部の周方向に沿って配置される位置に設けられていることを特徴とする請求項１記載の武道着。
【請求項３】
上記武道着は空手着であることを特徴とする請求項１記載の武道着。
【考案の詳細な説明】
【技術分野】
【０００１】
本考案は、武道着であって、特に小学校低学年以下の児童が着用する武道着に関する。
【背景技術】
【０００２】
一般的に、武道着は腰帯を締めることによって身体に固定されるが、激しい運動時には胸部分が大きくはだけてしまうことがあり、試合や稽古の中断を余儀なくされるという不具合を有していた。
上記不具合を解決するため、帯以外の固定手段を設けた武道着が提案されている（特許文献１）。
図２は上記特許文献１に係る武道着７０の正面図である。
図２に示すように、武道着７０は一対の袖部７１ａ、７１ｂと、背面布部７２と、上記背面布部７２に延設され、着用時に胴体部の前方で重なり合う、内側重ね合わせ部７３と外側重ね合わせ部７４とから形成されている。
上記内側重ね合わせ部７３の外側面部７５の上下方向略中央位置における背面部側端部７６には外側留め紐７７が配設されると共に、上記内側重ね合わせ部７３の内側面部７８の上下方向略中央位置における反背面布部側端部７９には内側留め紐８０が配設されている。
また、上記外側重ね合わせ部７４の内側面部８１の上下方向略中央位置において、背面布部側端部８２には内側留め紐８３が配設されると共に、反背面布部側端部８４には外側留め紐８５が配設されている。
【０００３】
上記武道着７０を着用する場合は、袖部７１ａ，７１ｂに腕部を通して羽織り、上記内留め紐８０と８３を結び合わせた後、上記内側重ね合わせ部７３と外側重ね合わせ部７４を重ね合わせ、上記外側留め紐７７，８５を結び合わせて上記内側重ね合わせ部７３と外側重ね合わせ部７４を重ね合わせた状態で固定する。
更に、腰帯（図２には図示せず）を外方から腰周りに巻装し、胴体部前方で上記腰帯の両端部を結び合わせて固定する。
【０００４】
上記特許文献１に係る武道着は、運動時においてもはだけ難いという利点を有するが、小学校低学年以下の児童が上記武道着７０を着用する場合、手指の機能が未発達のため、上記内留め紐８０、８３、及び外留め紐７７，８５を結び合わせる作業に長時間を要するという不具合を有していた。
【０００５】
【特許文献１】実登３０１３７２２
【考案の開示】
【考案が解決しようとする課題】
【０００６】
本考案の課題は、小学校低学年以下の児童であっても、簡易且つ迅速に着用することが可能な武道着を提供することにある。
【課題を解決するための手段】
【０００７】
上記課題を解決するために、請求項１に記載の考案は、武道の稽古等において着用する武道着であって、着用時に胴体部前方で重なり合う、内側重ね合わせ部と外側重ね合わせ部を有すると共に、上記内側重ね合わせ部の外側面部と外側重ね合わせ部の内側面部には、上記内側重ね合わせ部と外側重ね合わせ部とを接着する面ファスナーが配設されていることを特徴とする。
【０００８】
従って、上記内側重ね合わせ部に上記外側重ね合わせ部を重ね合わせて軽く押し付けるのみで、上記面ファスナーによって上記内側重ね合わせ部と上記外側重ね合わせ部が重なった状態で固定される。
【０００９】
また、請求項２に記載の考案は、上記面ファスナーは、所定長を有する横長長方形状に形成され、上記武道着を着用した場合に、腹部の前方部において腹部の周方向に沿って配置される位置に設けられていることを特徴とする。
【００１０】
従って、上記武道着を着用した場合、上記内側重ね合わせ部と上記外側重ね合わせ部とは腹部の前方位置において強固に固定される。
【００１１】
また、請求項３に記載の考案は、上記武道着は空手着であることを特徴とする。
【考案の効果】
【００１２】
請求項１及び３に記載の考案においては、着用時に胴体部前方で重なり合う、内側重ね合わせ部と外側重ね合わせ部を有すると共に、上記内側重ね合わせ部の外側面部と外側重ね合わせ部の内側面部には、上記内側重ね合わせ部と外側重ね合わせ部とを接着する面ファスナーが配設されていることから、留め紐の結び操作を行う必要がなく、小学校低学年以下の児童であっても、簡易且つ迅速に着用することが可能な武道着を提供することが可能となる。
【００１３】
また、請求項２に記載の考案においては、上記面ファスナーは、所定長を有する横長長方形状に形成され、上記武道着を着用した場合に、腹部の前方部において腹部の周方向に沿って配置される位置に設けられていることから、請求項１の効果に加え、上記内側重ね合わせ部と上記外側重ね合わせ部は互いに重なり合った状態で、腹部の前方位置において強固に固定され、運動時において、よりはだけを生じ難い武道着を提供することが可能となる。
【考案を実施するための最良の形態】
【００１４】
以下添付図面を用いて、本考案に係る武道着が空手着である場合を例に実施例の形態を説明する。
図１に示すように、本実施例に係る空手着１０は、着用時に胴体部前方で重なり合う、内側重ね合わせ部１１と外側重ね合わせ部１２を有すると共に、上記内側重ね合わせ部１１の外側面部１３と外側重ね合わせ部１２の内側面部１４には、上記内側重ね合わせ部１１と外側重ね合わせ部１２とを接着する面ファスナー１５が配設されている。
また、上記面ファスナー１５は、所定長を有する横長長方形状に形成され、上記空手着１０を着用した場合に、腹部の前方部において腹部の周方向に沿って配置される位置に設けられている。
【実施例】
【００１５】
以下添付図面を用いて本実施例について詳述する。
図１は、本実施例に係る空手着１０の外側重ね合わせ部１２をめくり上げた状態を示す正面図である。
図１に示すように、本実施例に係る空手着１０は木綿等の布材で形成され、一対の袖部１６ａ、１６ｂと、背面布部１７と、上記背面布部１７の幅方向両端部に延設された内側重ね合わせ部１１及び外側重ね合わせ部１２と、上記内側重ね合わせ部１１と外側重ね合わせ部１２の反背面布部１７側端縁部及び、上記背面布部１７の上端縁部に沿って延設され、所定幅を有する襟部１８とを有している。
上記内側重ね合わせ部１１と上記外側重ね合わせ部１２は夫々略台形状に形成され、上記面ファスナー１５は、上記内側重ね合わせ部１１の外側面部１３において、上記内側重ね合わせ部１１の高さ方向略中央部のやや下方寄りに幅方向に沿って逢着された雄部１５ａと、上記外側重ね合わせ部１２の内側面部１４において、上記外側重ね合わせ部１２の高さ方向略中央部のやや下方寄りに幅方向に沿って逢着された雌部１５ｂとから形成され、長さ方向寸法約２０ｃｍ、幅方向寸法約５ｃｍの横長長方形状に形成されている。
【００１６】
上記空手着１０は以下手順で着用する。
図１に示すように袖部１６ａ，１６ｂに腕部を通して羽織り、上記内側重ね合わせ部１１と外側重ね合わせ部１２を重ね合わせ、上記外側重ね合わせ部１２の外方から上記面ファスナー１５を軽く押さえつけることで、上記面ファスナー１５の雄部１５ａと雌部１５ｂとが係合し、上記内側重ね合わせ部１１と外側重ね合わせ部１２が重なり合った状態で固定される。
更に腰帯（図１には図示せず）を外方から腰周りに巻装し、胴体部前方で上記腰帯の両端部を結び合わせて固定することで着用作業が完了する。
従って、従来必要であった、留め紐の結び合わせ作業が不要となり、小学校低学年以下の児童であっても、極めて容易に、且つ迅速に空手着を着用することが可能となる。
【００１７】
なお、本実施例においては上記面ファスナー１５の雄部１５ａと雌部１５ｂの寸法を特定しているが、上記内側重ね合わせ部１１と外側重ね合わせ部１２との接着に十分な面積が確保されていれば、上記雄部１５ａと雌部１５ｂの形状、大きさを適宜変更しても、本実施例と同様の作用を得ることが可能である。
また、上記雄部１５ａと雌部１５ｂを入れ替えても得られる作用及び効果は同様である。
【産業上の利用可能性】
【００１８】
本考案は、小学校低学年以下の児童が着用する武道着に広く適用することが可能である。
【図面の簡単な説明】
【００１９】
【図１】本考案の一実施の形態を示し、実施例の形態におけて、空手着の外側重ね合わせ部をめくり上げた状態を示す正面図である。
【図２】従来の武道着の内側重ね合わせ部及び外側重ね合わせ部をめくり上げた状態を示す正面図である。
【符号の説明】
【００２０】
１０  空手着
１１  内側重ね合わせ部
１２  外側重ね合わせ部
１３  内側重ね合わせ部の外側面部
１４  外側重ね合わせ部の内側面部
１５  面ファスナー
１５ａ  面ファスナー雄部
１５ｂ  面ファスナー雄部
１６ａ  袖部
１６ｂ  袖部
１７  背面布部
１８  襟部
７０  武道着
７１ａ  袖部
７１ｂ  袖部
７２  背面布部
７３  内側重ね合わせ部
７４  外側重ね合わせ部
７５  内側重ね合わせ部の外側面部
７６  内側重ね合わせ部の背面布部側端部
７７  外側留め紐
７８  内側重ね合わせ部の内側面部
７９  内側重ね合わせ部の反背面布部側端部
８０  内側留め紐
８１  外側重ね合わせ部の内側面部
８２  外側重ね合わせ部の背面布部側端部
８３  内側留め紐
８４  外側重ね合わせ部の反背面布部側端部
８５  外側留め紐
【図１】
0003146917.tif 000003
【図２】
0003146917.tif 000004